(57)【要約】【課題】物品の収納状態に関係なく、物品に対して外部から加わる衝撃を緩衝して物品の保護を適正に行う。【解決手段】底面部１１と、この底面部の端部から起立して設けられた周面部１２とで形成された収納空間Ｓ内に電子機器本体２を収納して保護する物品保護カバー１であって、収納空間内に収納された電子機器本体の抜け止めを行う抜止部１３を備え、底面部から収納空間側に向けて突設されるとともに、電子機器本体の操作面２１を底面部に対向させて収納空間内に収納された電子機器本体の操作面に当接し、且つ、電子機器本体の裏面２４を底面部に対向させて収納空間内に収納された電子機器本体の裏面に当接する底面当接部１４と、周面部から収納空間側に向けて突設され、収納空間内に収納された電子機器本体の側端面２５に当接する周面当接部１５を備える。【選択図】図１
2005029171.tif 000002
【特許請求の範囲】
【請求項１】
底面部と、この底面部の端部から起立して設けられた周面部とで形成された収納空間内に物品を収納して保護する物品保護カバーにおいて、
前記収納空間内に収納された前記物品の一部に係合して当該物品の抜け止めを行う抜止部と、
前記底面部から前記収納空間側に向けて突設されるとともに、前記物品の操作面を前記底面部に対向させて前記収納空間内に収納された当該物品の操作面に当接し、且つ、前記物品の前記操作面と反対側の裏面を前記底面部に対向させて前記収納空間内に収納された当該物品の前記裏面に当接する底面当接部と、
前記周面部から前記収納空間側に向けて突設され、当該収納空間内に収納された物品の端面に当接する周面当接部と、
を備えることを特徴とする物品保護カバー。
【請求項２】
前記物品の前記操作面には、複数の操作キーが配設された操作部が設けられ、
前記底面当接部は、前記物品の操作面を前記底面部に対向させて前記収納空間内に収納された当該物品の前記操作部のうち、前記複数の操作キー以外の部分に当接する操作部当接部を備えることを特徴とする請求項１に記載の物品保護カバー。
【請求項３】
前記底面部には、前記収納空間内に収納された物品の前記複数の操作キーの各々を露出させる操作キー用開口が設けられていることを特徴とする請求項２に記載の物品保護カバー。
【請求項４】
前記物品の前記操作面には、表示画面が設けられ、
前記底面当接部は、前記物品の操作面を前記底面部に対向させて前記収納空間内に収納された当該物品の前記表示画面に当接する表示画面当接部を備えることを特徴とする請求項１〜３の何れか一項に記載の物品保護カバー。
【請求項５】
前記物品の前記操作面には、表示画面が設けられ、
前記底面部には、前記物品の操作面を前記底面部に対向させて前記収納空間内に収納された当該物品の前記表示画面を露出させる表示画面用開口が設けられていることを特徴とする請求項１〜３の何れか一項に記載の物品保護カバー。
【請求項６】
前記物品の操作面を前記底面部に対向させて前記収納空間内に収納された当該物品の前記裏面を被覆する被覆部材を備えることを特徴とする請求項１〜５の何れか一項に記載の物品保護カバー。
【請求項７】
前記抜止部は、前記周面部の前記底面部と反対側の端部の一部分に連続して、この一部分から前記収納空間側に延出されていることを特徴とする請求項１〜６の何れか一項に記載の物品保護カバー。
【請求項８】
前記底面当接部及び前記周面当接部のうち、少なくとも何れか一方は、前記底面部および前記周面部を構成する材料よりも緩衝特性に優れた材料から構成されていることを特徴とする請求項１〜７の何れか一項に記載の物品保護カバー。
【請求項９】
底面部とこの底面部の端部から起立して設けられた周面部とで形成された収納空間を有する保護カバーと、前記収納空間内に収納された電子機器本体とから構成されてなる保護カバー付き電子機器において、
前記保護カバーは、
前記電子機器本体の一部に係合して当該電子機器本体の抜け止めを行う抜止部と、
前記底面部から前記収納空間側に向けて突設されるとともに、前記電子機器本体の操作面が前記底面部と対向して収納されたときの前記電子機器本体の操作面に当接し、且つ、前記電子機器本体の前記操作面と反対側の裏面が前記底面部と対向して収納されたときの前記電子機器本体の前記裏面に当接する底面当接部と、
前記周面部から前記収納空間側に向けて突設され、前記電子機器本体の端面に当接する周面当接部と、
を備えることを特徴とする保護カバー付き電子機器。
【発明の詳細な説明】
【０００１】
【発明の属する技術分野】
本発明は、物品保護カバー及び保護カバー付き電子機器に関する。
【０００２】
【従来の技術】
従来より、電子機器等の様々な物品を収納して保護するための物品保護カバーが知られている。
物品保護カバーは、一般的に、当該物品保護カバーに物品としての電子機器等を収納した状態で、当該電子機器を使用可能となるように、表示画面や操作部等が配設された操作面をユーザに対向させるような配置で電子機器を収納するものである。
【０００３】
また、上記の物品保護カバーには、ゴム製のものがあり、例えば、伸縮可能な繊維状物、網状物及び布帛状物のうちの少なくとも１種と熱可塑性エラストマーから成型されたものが提案されている（例えば、特許文献１参照。）。
【０００４】
【特許文献１】
特開平７−２４２２６９号公報
【０００５】
【発明が解決しようとする課題】
ところで、物品保護カバーに収納された物品に対して外部から加わる衝撃を緩衝する必要があるが、上記特許文献１等のように、物品保護カバーをゴム製としただけでは、衝撃を適正に緩衝することが困難となっている。特に、例えば、操作面を備える電子機器等のように操作面とこの操作面と反対側の裏面とで形状の異なるものを、当該電子機器の使用状態及び非使用状態にて向きを変えて収納する物品保護カバーの場合、当該物品保護カバーの収納側の面の形状が電子機器の操作面若しくは裏面の形状に合わせたものとなり、電子機器の収納状態によっては、衝撃の緩衝を適正に行うことができないといった問題がある。
【０００６】
本発明の課題は、物品の収納状態に関係なく、物品に対して外部から加わる衝撃を緩衝して物品の保護を適正に行うことができる物品保護カバー及び保護カバー付き電子機器を提供することである。
【０００７】
【課題を解決するための手段】
請求項１に記載の発明は、例えば、図１及び図２等に示すように、
底面部（１１）と、この底面部の端部から起立して設けられた周面部（１２）とで形成された収納空間（Ｓ）内に物品（例えば、電子機器本体２等）を収納して保護する物品保護カバー（１）において、
前記収納空間内に収納された前記物品の一部に係合して当該物品の抜け止めを行う抜止部（１３）と、
前記底面部から前記収納空間側に向けて突設されるとともに、前記物品の操作面（２１）を前記底面部に対向させて前記収納空間内に収納された当該物品の操作面に当接し、且つ、前記物品の前記操作面と反対側の裏面（２４）を前記底面部に対向させて前記収納空間内に収納された当該物品の前記裏面に当接する底面当接部（１４）と、
前記周面部から前記収納空間側に向けて突設され、当該収納空間内に収納された物品の端面（例えば、側端面２５等）に当接する周面当接部（１５）と、
を備えることを特徴としている。
【０００８】
請求項１に記載の発明によれば、収納空間内に物品の操作面若しくは裏面を底面部に対向させて当該物品が収納されることにより、底面部から収納空間側に向けて突設された底面当接部が物品の操作面若しくは裏面に当接して、操作面若しくは裏面を底面部に対して所定の間隔を空けて底面当接部により支持することができる。また、周面部から収納空間側に向けて突設された周面当接部が物品の端面に当接して、物品の端面を周面部の内面に対して所定の間隔を空けて周面当接部により支持することができる。従って、物品の収納状態に関係なく、物品に対して外部から加わる衝撃を緩衝して物品の保護を適正に行うことができる。
【０００９】
請求項２に記載の発明は、例えば、図１及び図２等に示すように、請求項１に記載の物品保護カバーにおいて、
前記物品の前記操作面には、複数の操作キー（２３ａ）が配設された操作部（２３）が設けられ、
前記底面当接部は、前記物品の操作面を前記底面部に対向させて前記収納空間内に収納された当該物品の前記操作部のうち、前記複数の操作キー以外の部分に当接する操作部当接部（１４１）を備えることを特徴としている。
【００１０】
請求項２に記載の発明によれば、請求項１に記載の発明と同様の効果が得られるのは無論のこと、特に、収納空間内に物品の操作面を底面部に対向させて当該物品が収納されることにより、操作部当接部が操作部のうち、複数の操作キー以外の部分に当接するので、物品の非使用状態において、複数の操作キーが邪魔になることなく、物品の保護を適正に行うことができる。
【００１１】
請求項３に記載の発明は、例えば、図６等に示すように、請求項２に記載の物品保護カバーにおいて、
前記底面部には、前記収納空間内に収納された物品の前記複数の操作キーの各々を露出させる操作キー用開口（１１ａ）が設けられていることを特徴としている。
【００１２】
請求項３に記載の発明によれば、請求項２に記載の発明と同様の効果が得られるのは無論のこと、特に、収納空間内に物品の操作面を底面部に対向させて当該物品を収納した状態であっても、底面部に設けられた操作キー用開口を介して、物品の複数の操作キーの各々を露出させることができ、これにより、操作キーを用いて物品の操作を行うことができ、物品保護カバーの使い勝手を良くすることができる。
【００１３】
請求項４に記載の発明は、例えば、図１及び図２等に示すように、請求項１〜３の何れか一項に記載の物品保護カバーにおいて、
前記物品の前記操作面には、表示画面（２２）が設けられ、
前記底面当接部は、前記物品の操作面を前記底面部に対向させて前記収納空間内に収納された当該物品の前記表示画面に当接する表示画面当接部（１４２）を備えることを特徴としている。
【００１４】
請求項４に記載の発明によれば、請求項１〜３に記載の発明と同様の効果が得られるのは無論のこと、特に、収納空間内に物品の操作面を底面部に対向させて当該物品が収納されることにより、表示画面当接部が物品の表示画面に当接するので、表示画面を直接保護することができる。
【００１５】
請求項５に記載の発明は、例えば、図６等に示すように、請求項１〜３の何れか一項に記載の物品保護カバーにおいて、
前記物品の前記操作面には、表示画面（２２）が設けられ、
前記底面部には、前記物品の操作面を前記底面部に対向させて前記収納空間内に収納された当該物品の前記表示画面を露出させる表示画面用開口（１１ｂ）が設けられていることを特徴としている。
【００１６】
請求項５に記載の発明によれば、請求項１〜３に記載の発明と同様の効果が得られるのは無論のこと、特に、収納空間内に物品の操作面を底面部に対向させて当該物品を収納した状態であっても、底面部に設けられた表示画面用開口を介して、物品の表示画面を露出させることができ、これにより、表示画面が視認可能となって物品保護カバーの使い勝手を良くすることができる。
【００１７】
請求項６に記載の発明は、例えば、図７等に示すように、請求項１〜５の何れか一項に記載の物品保護カバーにおいて、
前記物品の操作面を前記底面部に対向させて前記収納空間内に収納された当該物品の前記裏面を被覆する被覆部材（１６）を備えることを特徴としている。
【００１８】
請求項６に記載の発明によれば、請求項１〜５に記載の発明と同様の効果が得られるのは無論のこと、特に、収納空間内に物品の操作面を底面部に対向させて当該物品を収納した状態で、被覆部材によって物品の裏面を被覆することができるので、物品全体が当該物品保護カバーにより覆われた状態となって、あらゆる角度からの衝撃に対して物品を保護することができる。
【００１９】
請求項７に記載の発明は、請求項１〜６の何れか一項に記載の物品保護カバーにおいて、
前記抜止部は、前記周面部の前記底面部と反対側の端部の一部分に連続して、この一部分から前記収納空間側に延出されていることを特徴としている。
【００２０】
請求項７に記載の発明によれば、請求項１〜６に記載の発明と同様の効果が得られるのは無論のこと、特に、抜止部は、周面部の底面部と反対側の端部の一部分に連続して、この一部分から収納空間側に延出されているので、簡単な構造で抜止部を形成することができる。
【００２１】
請求項８に記載の発明は、請求項１〜７の何れか一項に記載の物品保護カバーにおいて、
前記底面当接部及び前記周面当接部のうち、少なくとも何れか一方は、前記底面部および前記周面部を構成する材料よりも緩衝特性に優れた材料から構成されていることを特徴としている。
【００２２】
請求項８に記載の発明によれば、請求項１〜７に記載の発明と同様の効果が得られるのは無論のこと、特に、底面当接部及び周面当接部のうち、少なくとも何れか一方は、底面部および周面部を構成する材料よりも緩衝特性に優れた材料から構成されているので、物品保護カバーを所定の強度に維持しつつ、物品に加わる衝撃の緩衝性を向上させることができる。
【００２３】
請求項９に記載の発明は、例えば、図１及び図２等に示すように、
底面部（１１）とこの底面部の端部から起立して設けられた周面部（１２）とで形成された収納空間（Ｓ）を有する保護カバー（例えば、物品保護カバー１等）と、前記収納空間内に収納された電子機器本体（２）とから構成されてなる保護カバー付き電子機器（１００）において、
前記保護カバーは、
前記電子機器本体の一部に係合して当該電子機器本体の抜け止めを行う抜止部（１３）と、
前記底面部から前記収納空間側に向けて突設されるとともに、前記電子機器本体の操作面（２１）が前記底面部と対向して収納されたときの前記電子機器本体の操作面に当接し、且つ、前記電子機器本体の前記操作面と反対側の裏面（２４）が前記底面部と対向して収納されたときの前記電子機器本体の前記裏面に当接する底面当接部（１４）と、
前記周面部から前記収納空間側に向けて突設され、前記電子機器本体の端面（例えば、側端面２５等）に当接する周面当接部（１５）と、
を備えることを特徴としている。
【００２４】
請求項９に記載の発明によれば、収納空間内に電子機器本体の操作面若しくは裏面が底面部と対向して当該電子機器本体が収納された状態で、底面部から収納空間側に向けて突設された底面当接部が電子機器本体の操作面若しくは裏面に当接して、操作面若しくは裏面を底面部に対して所定の間隔を空けて底面当接部により支持することができる。また、周面部から収納空間側に向けて突設された周面当接部が電子機器本体の端面に当接して、電子機器本体の端面を周面部の内面に対して所定の間隔を空けて周面当接部により支持することができる。従って、電子機器本体の収納状態に関係なく、電子機器本体に対して外部から加わる衝撃を緩衝して電子機器本体の保護を適正に行うことができる。
【００２５】
【発明の実施の形態】
以下に、本発明について、図面を用いて具体的な態様を説明する。ただし、発明の範囲は、図示例に限定されない。
【００２６】
［第一の実施の形態］
図１は、本発明を適用した第一の実施の形態として例示する保護カバー付き電子機器を示す斜視図である。
図１に示すように、保護カバー付き電子機器１００は、物品保護カバー（保護カバー）１の収納空間Ｓ内に、物品としての電子機器本体２が収納されたものである。
【００２７】
先ず、電子機器本体２の要部構成について説明する。
電子機器本体２は、その外形が略直方体状に形成されており、一面が当該電子機器本体２のユーザによる操作の際にユーザに対向配置される操作面２１を構成している。
操作面２１の長手方向一端部側には、表示画面２２が設けられ、この表示画面２２よりも当該操作面２１の長手方向他端部側には、ユーザにより操作される操作部２３が設けられている。
【００２８】
操作部２３は、当該電子機器本体２の各種機能の実行等を指示するための複数の操作キー２３ａ、…を有し、これら操作キー２３ａ、…の各々は、そのユーザにより押圧される面が操作面２１よりもわずかに突出するように設けられている（図４参照）。また、複数の操作キー２３ａ、…は、所定間隔を空けて配設されている。
表示画面２２は、操作部２３により指示された各種機能に応じて所定の表示を行うものであり、例えば、操作面２１の長手方向に直交する幅方向に長い略矩形状に形成されている。
このように、電子機器本体２の操作面２１側の形状は、操作キー２３ａ、…により、凹凸した形状となっている。一方、電子機器本体２の操作面２１と反対側の裏面２４側は、全面略平面形状を呈している。
【００２９】
次に、物品保護カバー１の要部構成について、図２及び図３を参照して詳細に説明する。
ここで、図２は、物品保護カバー１を示す斜視図であり、図３は、図２のＩＩＩ−ＩＩＩ部分を示した断面図である。
【００３０】
図２に示すように、物品保護カバー１は、底面部１１と、この底面部１１の端部から起立して設けられた周面部１２と、この周面部１２と底面部１１とで形成された収納空間Ｓ内に収納された電子機器本体２の抜け止めを行う抜止部１３と、底面部１１から収納空間Ｓ側に向けて突設され、この収納空間Ｓに収納された電子機器本体２の操作面２１若しくはこの操作面２１と反対側の裏面２４に当接する底面当接部１４と、周面部１２から収納空間Ｓ側に向けて突設され、この収納空間Ｓ内に収納された電子機器本体２の端面に当接する周面当接部１５とを備えて概略構成されている。
【００３１】
底面部１１は、例えば、電子機器本体２の操作面２１及びこの操作面２１と反対側の裏面２４の外形寸法よりも大きい寸法を有する略矩形状に形成されている。
また、底面部１１のうち、収納空間Ｓ内に収納された電子機器本体２の操作部２３に対応する位置には、当該底面部１１を表裏に亘って貫通する複数の貫通孔が設けられており、これにより、例えば、物品保護カバー１の重量の軽減や、収納空間Ｓ内に収納された電子機器本体２から発せられる熱の放散性の向上に寄与することができる。
【００３２】
周面部１２は、底面部１１の長手方向Ｌに延在する二つの長辺部分の各々に連続して形成された二つの長周面部１２１、１２１と、底面部１１の長手方向Ｌに直交する幅方向に延在する二つの短辺部分の各々及び長周面部１２１の長手方向側の両端部に連続して形成された二つの短周面部１２２、１２２とを有している。
長周面部１２１及び短周面部１２２の底面部１１に対して垂直な高さ方向の長さは、電子機器本体２の厚さよりも大きい寸法とされている。
【００３３】
これら底面部１１及び周面部１２によって、電子機器本体２の外形よりも大きい寸法の収納空間Ｓが形成されており、この収納空間Ｓ内に電子機器本体２をその操作面２１若しくは電子機器本体２の裏面２４を底面部１１に対向させて収納可能となっている（図４及び図５参照）。そして、収納空間Ｓ内に電子機器本体２が収納されることにより、電子機器本体２の操作面２１側若しくは裏面２４側並びに端面側から保護された状態となる。
【００３４】
なお、長周面部１２１のうち、短周面部１２２側の部分、即ち、収納空間Ｓに収納された状態の電子機器本体２の各角部に対応する部分は、当該長周面部１２１の長手方向における略中央の部分よりも肉厚とされており、これにより、電子機器本体２の各角部に対して外部から加わる衝撃の保護をより確実なものとすることができる。
【００３５】
抜止部１３は、周面部１２の底面部１１と反対側の端部のうち、長周面部１２１と短周面部１２２の接続部分（一部分）に連続して、この接続部分から収納空間Ｓ側に所定の長さ延出して設けられている。これにより、各抜止部１３の先端部が、当該収納空間Ｓ内に収納された電子機器本体２の端面よりも内側に位置することとなって、この電子機器本体２の各角部に各抜止部１３が係合して当該電子機器本体２が抜け止めされるようになっている。
【００３６】
底面部１１、周面部１２及び抜止部１３は、例えば、樹脂又はゴムから成形されている。従って、電子機器本体２の収納空間Ｓ内に対する収納の際に、例えば、収納空間Ｓの開口部の面積が拡大するように物品保護カバー１の底面部１１、周面部１２及び抜止部１３が捻られたり延ばされたりすることによって、収納空間Ｓ内に電子機器本体２を収納可能となっている。
なお、底面部１１、周面部１２及び抜止部１３は、収納空間Ｓ内に収納された電子機器本体２の保護機能を適切に確保する上で所定の強度を有するように成形されている。
【００３７】
底面当接部１４は、電子機器本体２の操作面２１を底面部１１に対向させて収納空間Ｓ内に収納された当該電子機器本体２の操作面２１に当接し、且つ、電子機器本体２の裏面２４を底面部１１に対向させて収納空間Ｓ内に収納された当該電子機器本体２（図１等参照）の裏面２４に当接するように形成されている。
また、底面当接部１４は、収納空間Ｓ内に電子機器本体２がその操作面２１を底面部１１に対向させて収納された場合に、電子機器本体２の操作部２３のうち、複数の操作キー２３ａ以外の部分に当接する操作部当接部１４１と、電子機器本体２の表示画面２２に当接する表示画面当接部１４２とを備えている。
【００３８】
操作部当接部１４１は、例えば、底面部１１の長手方向Ｌに沿う両縁部に設けられた長辺縁部当接部１４１ａと、底面部１１の長手方向Ｌ側の一方の縁部（長手方向Ｌに直交する短手方向の縁部）に設けられた短辺縁部当接部１４１ｂ（図３参照）とを備えている。
長辺縁部当接部１４１ａは、例えば、底面部１１に対して略垂直に設けられた凸状の部材であり、底面部１１の長手方向Ｌに沿って略一列に並んで複数配設されている。また、長辺縁部当接部１４１ａは、収納空間Ｓ内に収納された電子機器本体２の操作面２１及び裏面２４の長手方向に沿う両縁部に当接可能となっている。
短辺縁部当接部１４１ｂは、例えば、底面部１１の長手方向Ｌと略等しい方向に延在する線状部材であり、当該底面部１１の幅方向に沿って複数並んで配設されている。また、短辺縁部当接部１４１ｂは、収納空間Ｓ内に収納された電子機器本体２の操作面２１及び裏面２４の長手方向側一縁部に当接可能となっている。
これら長辺縁部当接部１４１ａ及び短辺縁部当接部１４１ｂの底面部１１からの高さは、略等しく、例えば、電子機器本体２の操作面２１に配設された操作キー２３ａの突出長よりも大きい寸法に設定されている（図５参照）。
【００３９】
表示画面当接部１４２は、例えば、底面部１１の短辺縁部当接部１４１ｂと反対側の端部よりの位置における、当該底面部１１の他の部分よりもわずかに凹んだ部分に設けられている。また、表示画面当接部１４２は、例えば、底面部１１の幅方向と略平行に延在する略線状の部材であり、底面部１１の長手方向Ｌに沿って複数並んで設けられている。各表示画面当接部１４２の長さは、対向する二つの長周面部１２１、１２１の内面間に亘る程度とされている。
また、表示画面当接部１４２の各々は、底面部１１に対して略垂直に設けられており、その高さ位置が、操作部当接部１４１の高さ位置と略等しくなっている。これにより、物品保護カバー１の収納空間Ｓ内に収納された電子機器本体２を当該物品保護カバー１に対して略水平に保持することができる（図４及び図５参照）。
さらに、表示画面当接部１４２及び操作部当接部１４１の先端から抜止部１３の内面までの底面部１１に垂直な方向の距離は、電子機器本体２の厚さと略等しい寸法となっている。
【００４０】
周面当接部１５は、例えば、二つの短周面部１２２の各々に設けられ、周面部１２の高さ方向に延在する略線状の部材であり、短周面部１２２の長手方向に沿って複数並んで設けられている。
また、周面当接部１５のうち、操作部当接部１４１側の短周面部１２２に設けられたものは、例えば、短辺縁部当接部１４１ｂに連続して形成されている。
このような構成の周面当接部１５、１５は、収納空間Ｓ内に収納された電子機器本体２の端面のうち、長手方向側の側端面２５、２５に当接可能となっている。
【００４１】
上記の底面当接部１４及び周面当接部１５は、例えば、底面部１１および周面部１２と一体成形することで形成される。
また、底面当接部１４及び周面当接部１５は、例えば、底面部１１および周面部１２を構成する材料よりも緩衝特性に優れた材料から構成しても良い。これにより、物品保護カバー１を所定の強度に維持しつつ、電子機器本体２に加わる衝撃の緩衝性を向上させることができる。この場合には、底面当接部１４及び周面当接部１５は、例えば、接着等の方法により底面部１１及び周面部１２に取付固定するようにしても良い。
【００４２】
次に、物品保護カバー１の収納空間Ｓ内における電子機器本体２の収納状態について、図４及び図５を参照して説明する。
ここで、図４は、図１のＩＶ−ＩＶ部分を示した断面図であり、図５は、図３の物品保護カバー１の収納空間Ｓ内に電子機器本体２を図１に対してほぼ１８０度異なる向きで収納した状態を示す断面図である。
【００４３】
本実施の形態の保護カバー付き電子機器１００は、電子機器本体２のユーザによる使用状態と非使用状態において、電子機器本体２の向きを変えて当該電子機器本体２を物品保護カバー１の収納空間Ｓ内に収納可能となっている。
【００４４】
＜電子機器本体の使用状態＞
電子機器本体２の使用状態においては、物品保護カバー１の底面部１１に裏面２４を対向させる向きで電子機器本体２が当該物品保護カバー１の収納空間Ｓ内に収納されている（図１参照）。
具体的には、例えば、図４に示すように、抜止部１３によって抜け止めされた状態で収納空間Ｓ内に収納された電子機器本体２は、その裏面２４に底面当接部１４が当接してこの底面当接部１４により裏面２４が底面部１１から離間されて支持され、電子機器本体２の長手方向側の側端面２５に周面当接部１５が当接してこの周面当接部１５により電子機器本体２の長手方向側の側端面２５が短周面部１２２の内面から離間されて保持された状態となっている。
【００４５】
＜電子機器本体の非使用状態＞
電子機器本体２の非使用状態においては、物品保護カバー１の底面部１１に操作面２１を対向させる向きで電子機器本体２が当該物品保護カバー１の収納空間Ｓ内に収納されている。
具体的には、例えば、図５に示すように、抜止部１３によって抜け止めされた状態で収納空間Ｓ内に収納された電子機器本体２は、その操作面２１が底面当接部１４によって底面部１１から離間されて支持された状態となっている。即ち、電子機器本体２は、その操作部２３の操作キー２３ａ以外の部分に操作部当接部１４１が当接してこの操作部当接部１４１により操作キー２３ａの押圧面が底面部１１から離間されて支持され、且つ、表示画面２２に表示画面当接部１４２が当接してこの表示画面当接部１４２により表示画面２２が底面部１１から離間されて支持された状態となっている。
なお、電子機器本体２の長手方向側の側端面２５は、電子機器本体２の使用状態の場合と同様に、電子機器本体２の長手方向側の側端面２５に当接された周面当接部１５により短周面部１２２から離間された状態で保持された状態となっている。
【００４６】
以上のように、第一の実施の形態の保護カバー付き電子機器１００によれば、収納空間Ｓ内に電子機器本体２の操作面２１若しくは裏面２４が底面部１１と対向して当該電子機器本体２が収納された状態で、底面部１１から収納空間Ｓ側に向けて突設された底面当接部１４が電子機器本体２の操作面２１若しくは裏面２４に当接して、操作面２１若しくは裏面２４を底面部１１に対して所定の間隔を空けて底面当接部１４により支持することができる。また、周面部１２から収納空間Ｓ側に向けて突設された周面当接部１５が電子機器本体２の側端面２５に当接して、側端面２５を周面部１２の内面に対して所定の間隔を空けて周面当接部１５により支持することができる。
従って、電子機器本体２の収納状態に関係なく、電子機器本体２に対して外部から加わる衝撃を緩衝して電子機器本体２の保護を適正に行うことができる。
【００４７】
また、収納空間Ｓ内に電子機器本体２の操作面２１を底面部１１に対向させて当該電子機器本体２が収納されることにより、操作部当接部１４１が操作部２３のうち、複数の操作キー２３ａ以外の部分に当接するので、電子機器本体２の非使用状態において、複数の操作キー２３ａが邪魔になることなく、電子機器本体２の保護を適正に行うことができる。
さらに、収納空間Ｓ内に電子機器本体２の操作面２１を底面部１１に対向させて当該電子機器本体２が収納されることにより、表示画面当接部１４２が電子機器本体２の表示画面２２に当接するので、表示画面２２を直接保護することができる。
【００４８】
また、抜止部１３は、周面部１２の底面部１１と反対側の端部の一部分に連続して、この一部分から収納空間Ｓ側に延出されているので、簡単な構造で抜止部１３を形成することができる。
【００４９】
また、表示画面当接部１４２は、底面部１１の他の部分よりもわずかに凹んだ部分に設けられていることので、当該表示画面当接部１４２の底面部１１の凹んだ部分からの高さを、操作部当接部１４１の高さに比べて大きくすることができ、これにより、電子機器本体２の表示画面２２に対して物品保護カバー１の外部から加わる衝撃の保護特性を向上させることができる。
【００５０】
［第二の実施の形態］
以下に、第二の実施の形態の保護カバー付き電子機器２００について、図６〜図８を参照して説明する。
ここで、図６は、本発明を適用した第二の実施の形態として例示する保護カバー付き電子機器２００を示す斜視図であり、図７は、図６の保護カバー付き電子機器２００を図６に対してほぼ１８０度異なる方向から描図した斜視図であり、図８は、図７のＶＩＩＩ−ＶＩＩＩ部分を示した断面図である。
なお、第二の実施の形態の保護カバー付き電子機器２００は、底面部１１、抜止部１３、底面当接部１４及び被覆部材１６の構成以外の点では上記第一の実施の形態と同様であるので、同様の構成には同一の符号を付してその説明を省略する。
【００５１】
第二の実施の形態の保護カバー付き電子機器２００は、図６に示すように、物品保護カバー１０１の底面部１１に、電子機器本体２の操作面２１を底面部１１に対向させて収納空間Ｓ内に収納された電子機器本体２の操作キー２３ａの各々を露出させる複数の操作キー用開口１１ａと、表示画面２２を露出させる表示画面用開口１１ｂとが設けられ、図７に示すように、電子機器本体２の裏面２４を被覆する被覆部材１６を備えている。
【００５２】
操作キー用開口１１ａは、操作面２１を底面部１１に対向させて収納空間Ｓ内に収納された電子機器本体２の操作キー２３ａに対応する位置に設けられており、これにより、当該操作キー用開口１１ａを介して操作部２３の操作キー２３ａを押圧可能となっている。
ここで、操作キー用開口１１ａは、例えば、操作キー２３ａのうち、上下左右を支持する４つのカーソルキーや、カーソルキー以外の操作キー２３ａの各々に対応して設けられている。
また、操作キー用開口１１ａどうしの間には、操作部当接部１４１としての中央部当接部１４１ｃ（図８参照）が設けられている。即ち、中央部当接部１４１ｃは、底面部１１に設けられた二つの長辺縁部当接部１４１ａどうしの間にて、操作キー用開口１１ａを避けるようにして設けられている。この中央部当接部１４１ｃは、例えば、長辺縁部当接部１４１ａと同様に、底面部１１に対して略垂直に設けられた略凸状の部材である。
【００５３】
表示画面用開口１１ｂは、操作面２１を底面部１１に対向させて収納空間Ｓ内に収納された電子機器本体２の表示画面２２に対応する位置に設けられ、その表示画面２２と略等しい形状に形成されている。これにより、底面部１１に操作面２１を対向させて電子機器本体２を収納空間Ｓ内に収納した状態であっても、表示画面用開口１１ｂを介して、表示画面２２に表示された各種の情報を目視可能となっている。
また、表示画面用開口１１ｂを底面部１１の幅方向に挟むようにして、底面部１１の幅方向における表示画面用開口１１ｂの両縁部に底面当接部１４としての開口両縁当接部１４３が設けられている。開口両縁当接部１４３は、例えば、底面部１１に対して略垂直に設けられた凸状の部材であり、底面部１１の長手方向Ｌに沿って略一列に並んで複数配設されている。これにより、開口両縁当接部１４３は、収納空間Ｓ内に収納された電子機器本体２の操作面２１の幅方向における表示画面２２の両縁部に当接可能となっている。
また、開口両縁当接部１４３の各々の高さ位置が、長辺縁部当接部１４１ａ、短辺縁部当接部１４１ｂ及び中央部当接部１４１ｃの高さ位置と略等しくなっている。これにより、物品保護カバー１０１の収納空間Ｓ内に収納された電子機器本体２を当該物品保護カバー１０１に対して略水平に保持することができる（図４及び図５参照）。
【００５４】
被覆部材１６は、平面視において略矩形状に形成された部材であり、当該被覆部材１６の各角部には、抜止部１３の係合孔１３１に係合する凸部１６１が設けられている。これにより、各角部の凸部１６１が対応する係合孔１３１に係合することによって、被覆部材１６が抜止部１３に取り付け固定された状態となって、収納空間Ｓ内に収納された電子機器本体２の裏面２４を被覆する（図８参照）。
なお、被覆部材１６は、例えば、樹脂又はゴムから成形されており、収納空間Ｓ内に収納された電子機器本体２の保護機能を適切に確保する上で所定の強度を有することが望ましい。
【００５５】
以上のように、第二の実施の形態の保護カバー付き電子機器２００によれば、収納空間内に電子機器本体２の操作面２１が底面部１１と対向して当該電子機器本体２が収納された状態で、被覆部材１６によって電子機器本体２の裏面２４を被覆することができるので、電子機器本体２全体が物品保護カバー１０１により覆われた状態となって、あらゆる角度からの衝撃に対して電子機器本体２を保護することができる。
また、収納空間Ｓ内に電子機器本体２の操作面２１を底面部１１に対向させて当該電子機器本体２を収納した状態であっても、底面部１１に設けられた操作キー用開口１１ａを介して、電子機器本体２の複数の操作キー２３ａ、…の各々を露出させることができ、これにより、操作キー２３ａを用いて電子機器本体２の操作を行うことができるので、物品保護カバー１０１の使い勝手を良くすることができる。
さらに、収納空間Ｓ内に電子機器本体２の操作面２１を底面部１１に対向させて当該電子機器本体２を収納した状態であっても、底面部１１に設けられた表示画面用開口１１ｂを介して、電子機器本体２の表示画面２２を露出させることができ、これにより、表示画面２２が視認可能となって物品保護カバー１０１の使い勝手を良くすることができる。
【００５６】
なお、本発明は、上記実施の形態に限定されることなく、本発明の趣旨を逸脱しない範囲において、種々の改良並びに設計の変更を行っても良い。
例えば、上記実施の形態では、電子機器本体２として外形が略直方体状のものを例示したが、これに限られるものではなく、少なくとも抜止部１３によって係合可能な部分を有するものであれば如何なる形状の電子機器本体２であっても良い。
また、底面当接部１４及び周面当接部１５を底面部１１及び周面部１２に取り付ける方法は、接着に限られるものではなく、如何なる方法であっても良い。
さらに、物品は、電子機器本体２に限られず、操作面２１を有するものであれば如何なるものであっても良いのは勿論である。
【００５７】
【発明の効果】
請求項１に記載の発明によれば、収納空間内に物品の操作面若しくは裏面を底面部に対向させて当該物品が収納されることにより、底面部から収納空間側に向けて突設された底面当接部が物品の操作面若しくは裏面に当接して、操作面若しくは裏面を底面部に対して所定の間隔を空けて底面当接部により支持することができる。また、周面部から収納空間側に向けて突設された周面当接部が物品の端面に当接して、物品の端面を周面部の内面に対して所定の間隔を空けて周面当接部により支持することができる。従って、物品の収納状態に関係なく、物品に対して外部から加わる衝撃を緩衝して物品の保護を適正に行うことができる。
【００５８】
請求項２に記載の発明によれば、操作部当接部が操作部のうち、複数の操作キー以外の部分に当接するので、物品の非使用状態において、複数の操作キーが邪魔になることなく、物品の保護を適正に行うことができる。
【００５９】
請求項３に記載の発明によれば、底面部に設けられた操作キー用開口を介して、物品の複数の操作キーの各々を露出させることができるので、操作キーを用いて物品の操作を行うことができ、物品保護カバーの使い勝手を良くすることができる。
【００６０】
請求項４に記載の発明によれば、表示画面当接部が物品の表示画面に当接するので、表示画面を直接保護することができる。
【００６１】
請求項５に記載の発明によれば、底面部に設けられた表示画面用開口を介して、物品の表示画面を露出させることができるので、表示画面が視認可能となって物品保護カバーの使い勝手を良くすることができる。
【００６２】
請求項６に記載の発明によれば、被覆部材によって物品の裏面を被覆することができるので、物品全体が当該物品保護カバーにより覆われた状態となって、あらゆる角度からの衝撃に対して物品を保護することができる。
【００６３】
請求項７に記載の発明によれば、抜止部は、周面部の底面部と反対側の端部の一部分に連続して、この一部分から収納空間側に延出されているので、簡単な構造で抜止部を形成することができる。
【００６４】
請求項８に記載の発明によれば、底面当接部及び周面当接部のうち、少なくとも何れか一方は、底面部および周面部を構成する材料よりも緩衝特性に優れた材料から構成されているので、物品保護カバーを所定の強度に維持しつつ、物品に加わる衝撃の緩衝性を向上させることができる。
【００６５】
請求項９に記載の発明によれば、収納空間内に電子機器本体の操作面若しくは裏面が底面部と対向して当該電子機器本体が収納された状態で、底面部から収納空間側に向けて突設された底面当接部が電子機器本体の操作面若しくは裏面に当接して、操作面若しくは裏面を底面部に対して所定の間隔を空けて底面当接部により支持することができる。また、周面部から収納空間側に向けて突設された周面当接部が電子機器本体の端面に当接して、電子機器本体の端面を周面部の内面に対して所定の間隔を空けて周面当接部により支持することができる。従って、電子機器本体の収納状態に関係なく、電子機器本体に対して外部から加わる衝撃を緩衝して電子機器本体の保護を適正に行うことができる。
【図面の簡単な説明】
【図１】本発明を適用した第一の実施の形態として例示する保護カバー付き電子機器を示す斜視図である。
【図２】図１の保護カバー付き電子機器に備わる物品保護カバーを示す斜視図である。
【図３】図２のＩＩＩ−ＩＩＩ部分を示した断面図である。
【図４】図１のＩＶ−ＩＶ部分を示した断面図である。
【図５】図３の物品保護カバーの収納空間内に電子機器本体を図１に対してほぼ１８０度異なる向きで収納した状態を示す断面図である。
【図６】本発明を適用した第二の実施の形態として例示する保護カバー付き電子機器を示す斜視図である。
【図７】図６の保護カバー付き電子機器を図６に対してほぼ１８０度異なる方向から描図した斜視図である。
【図８】図７のＶＩＩＩ−ＶＩＩＩ部分を示した断面図である。
【符号の説明】
１００、２００  保護カバー付き電子機器
１、１０１      物品保護カバー（保護カバー）
１１            底面部
１１ａ          操作キー用開口
１１ｂ          表示画面用開口
１２            周面部
１３            抜止部
１４            底面当接部
１４１          操作部当接部
１４２          表示画面当接部
１６            被覆部材
２              電子機器本体（物品）
２１            操作面
２２            表示画面
２３            操作部
２３ａ          操作キー
２４            裏面
２５            側端面（端面）
Ｓ              収納空間
【図１】
2005029171.tif 000003
【図２】
2005029171.tif 000004
【図３】
2005029171.tif 000005
【図４】
2005029171.tif 000006
【図５】
2005029171.tif 000007
【図６】
2005029171.tif 000008
【図７】
2005029171.tif 000009
【図８】
2005029171.tif 000010